(57)【要約】【課題】ユーザ自身が自由にデータを付加して記憶し、再生させることができる情報処理装置、制御方法およびプログラムを提供する。【解決手段】画像データのアプリケーションマーカーを検出し、検出されたアプリケーションマーカーのうち、一番最後のアプリケーションマーカーの次の領域にアプリケーションユーザマーカー１０１を設定し、設定されたアプリケーションユーザマーカー１０１に基づいて、ユーザデータの書き込みを行い、アプリケーションユーザマーカー１０１に基づいて、ユーザデータの読み出しを行う。【選択図】      図３
2008140028.tif 000002
【特許請求の範囲】
【請求項１】
画像データのマーカー情報を検出する手段と、
検出されたマーカー情報のうち、一番最後のアプリケーションマーカーの次の領域にユーザマーカー情報を設定する手段と、
設定されたユーザマーカー情報に基づいて、ユーザ編集情報の書き込みを行う手段と、
前記ユーザマーカー情報に基づいて、前記ユーザ編集情報に読み出しを行う手段と、
を具備することを特徴とする情報処理装置。
【請求項２】
請求項１に記載の情報処理装置において、
前記ユーザ編集情報は、前記画像データとリンクして関連づけられた図形情報、テキスト情報、オーディオ情報、リンク先情報のうち、少なくとも１つを含むことを特徴とする情報処理装置。
【請求項３】
請求項１に記載の情報処理装置において、
前記ユーザ編集情報は、前記画像データと重ね合わせて表示可能であることを特徴とする情報処理装置。
【請求項４】
請求項１に記載の情報処理装置において、
前記ユーザ編集情報が複数ある場合、前記画像データと重ね合わせて表示する前記ユーザ編集情報を選択可能であることを特徴とする情報処理装置。
【請求項５】
画像データのマーカー情報を検出するステップと、
検出されたマーカー情報のうち、一番最後のアプリケーションマーカーの次の領域にユーザマーカー情報を設定するステップと、
設定されたユーザマーカー情報に基づいて、ユーザ編集情報の書き込みを行うステップと、
前記ユーザマーカー情報に基づいて、前記ユーザ編集情報に読み出しを行うステップと、
を有することを特徴とする編集再生方法。
【請求項６】
請求項５に記載の編集再生方法において、
前記ユーザ編集情報は、前記画像データとリンクして関連づけられた図形情報、テキスト情報、オーディオ情報、リンク先情報のうち、少なくとも１つを含むことを特徴とする編集再生方法。
【請求項７】
請求項５に記載の編集再生方法において、
前記ユーザ編集情報は、前記画像データと重ね合わせて表示可能であることを特徴とする編集再生方法。
【請求項８】
請求項５に記載の編集再生方法において、
前記ユーザ編集情報が複数ある場合、前記画像データと重ね合わせて表示する前記ユーザ編集情報を選択可能であることを特徴とする編集再生方法。
【請求項９】
データ処理をコンピュータに実行させるプログラムであって、
画像データのマーカー情報を検出する手順と、
検出されたマーカー情報のうち、一番最後のアプリケーションマーカーの次の領域にユーザマーカー情報を設定する手順と、
設定されたユーザマーカー情報に基づいて、ユーザ編集情報の書き込みを行う手順と、
前記ユーザマーカー情報に基づいて、前記ユーザ編集情報に読み出しを行う手順と、
をコンピュータに実行させるプログラム。
【請求項１０】
請求項５に記載のプログラムにおいて、
前記ユーザ編集情報は、前記画像データとリンクして関連づけられた図形情報、テキスト情報、オーディオ情報、リンク先情報のうち、少なくとも１つを含むことを特徴とするプログラム。
【発明の詳細な説明】
【技術分野】
【０００１】
本発明は、パーソナルコンピュータのような情報処理装置および同装置を用いた編集再生方法およびプログラムに関する。
【背景技術】
【０００２】
近年、デジタルカメラ等で撮影した画像データ（デジタル画像）をパソコン上等で編集する画像の編集ソフトウェアが用いられている。この編集ソフトウェアで画像データを編集する場合には、映像補正など撮影した画像データ自身に関する編集機能とフォトレタッチ機能のように画像データにユーザデータを追記する機能を有したものがある。画像データの編集ソフトウェアでは、Exif（Exchangeable Image File Format）情報表示とExif情報編集機能を有する編集ソフトウェアが存在する。Exif情報編集機能は主に検索機能の強化を用いられている。デジタルカメラで撮影した画像データをユーザが編集ソフトウェアを用いて編集できる事項は、画像データプリントアウトに関する事項と検索といった情報整理に関する事項である。デジタルカメラに使用されているExif形式は、撮影したカメラ情報を含めたデータまで記憶することが可能であるが、記憶されているデータのほとんどが一般ユーザに使用できるものではなく、デジタルカメラ開発メーカが撮影データとして残す情報として使用されている場合が殆どである。また、このメーカの独自データを記憶する領域に実行可能な画像ビューアーのプログラムを埋め込む技術が開示されている（特許文献１参照）。
【特許文献１】特開２００６−１０７０９０号公報
【発明の開示】
【発明が解決しようとする課題】
【０００３】
しかし、特許文献１の技術では、ユーザが自由にユーザ自身が用意したデータを記憶、再生することができない。
【０００４】
本発明は上述の事情を考慮してなされたものであり、ユーザ自身が自由にデータを付加して記憶し、再生させることができる情報処理装置、制御方法およびプログラムを提供することを目的とする。
【課題を解決するための手段】
【０００５】
上記目的を達成するために、本発明の一態様によれば、画像データのマーカー情報を検出する手段と、検出されたマーカー情報のうち、一番最後のアプリケーションマーカーの次の領域にユーザマーカー情報を設定する手段と、設定されたユーザマーカー情報に基づいて、ユーザ編集情報の書き込みを行う手段と、前記ユーザマーカー情報に基づいて、前記ユーザ編集情報に読み出しを行う手段と、を具備することを特徴とする情報処理装置が提供される。
【発明の効果】
【０００６】
本発明によれば、ユーザ自身が画像データに自由に所定のデータを付加して記憶し、再生させることができる。
【発明を実施するための最良の形態】
【０００７】
以下、図面を参照して本発明の実施形態を説明する。  
図１には、本発明の一実施形態に係る情報処理装置の斜視図が示されている。この情報処理装置は、バッテリ駆動可能なノートブック型コンピュータ１０として実現されている。なお、本発明は、デジタルカメラ等で撮影された画像データに新たにExif形式のユーザディレクトリーエントリを追加し、ユーザによる追加データの記憶、再生を行うことができるようにしたものである。
【０００８】
図１に示すように、コンピュータ１０の本体側は薄い箱形の筐体を有しており、その上面には、キーボード（ＫＢ）１３、パームレスト上にはタッチパッド１４、および左右２つのボタン、電源ボタン２４、スピーカ等が配置されている。また、本体の側面には、光学ドライブ等が設けられている。
【０００９】
図２は、コンピュータ１０の構成を示したブロック図である。
【００１０】
このパーソナルコンピュータ１０は、図示のように、ＣＰＵ（Central Processing Unit）１１、ノースブリッジ１２、主メモリ１３、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド１４などを備えている。
【００１１】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。各PCI EXPRESSリンクはシリアルインタフェースから構成される通信路であり、アップストリームレーンおよびダウンストリームレーンを含む。
【００１２】
ＣＰＵ１１は本コンピュータの動作を制御するプロセッサであり、ＨＤＤ２０から主メモリ１３にロードされる各種プログラム（オペレーティングシステム、各種アプリケーションプログラム、画像編集ソフトウェア等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１３】
ノースブリッジ１２はＣＰＵ１１のローカルバスとサウスブリッジ１６との間を接続するブリッジデバイスである。ノースブリッジ１２には、主メモリ１３をアクセス制御するメモリコントローラも内蔵されている。また、ノースブリッジ１２は、PCI EXPRESSリンク２１を介してグラフィクスコントローラ１１４との通信を実行する機能も有している。
【００１４】
グラフィクスコントローラ１７は本コンピュータのディスプレイモニタとして使用されるＬＣＤ１５を制御する表示コントローラである。サウスブリッジ１６は、PCI EXPRESSリンク２２を介して図示しない接続されたPCI Expressデバイスとの通信を実行する機能等を有している。また、サウスブリッジ１６は、ＬＰＣ（Low Pin Count）バス３０上の各デバイスの制御も実行する。
【００１５】
エンベデッドコントローラ／キーボードコントローラＩＣ（ＥＣ／ＫＢＣ）２２は、電力管理のためのエンベデッドコントローラと、キーボード（ＫＢ）２５およびタッチパッド２６を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４の操作に応じて、電源コントローラ（ＰＳＣ）２３と共同して、本コンピュータ１０をパワーオン／パワーオフする機能を有している。さらに、エンベデッドコントローラ／キーボードコントローラＩＣ（ＥＣ／ＫＢＣ）２２は、本コンピュータに対するＡＣアダプタ２８の接続および取り外しを検出する機能も有している。ＡＣアダプタ２８の接続または取り外しのイベントが発生した時、エンベデッドコントローラ／キーボードコントローラＩＣ（ＥＣ／ＫＢＣ）２２は、電力管理イベントの発生をＢＩＯＳに通知するために割り込み信号（ＩＮＴＲ）を発生する。この割り込み信号（ＩＮＴＲ）の発生に応答して、サウスブリッジ１６は、ＣＰＵ１１に割り込み信号（ＳＭＩ）を発生する。ＣＰＵ１１は、ＳＭＩに応答して、ＢＩＯＳのＳＭＩルーチンを実行する。なお、ＥＣ／ＫＢＣ２２からＣＰＵ１１に直接的にＳＭＩを供給するようにしてもよい。
【００１６】
図３は、Exif形式で記憶された画像データの構成を示した模式図である。
【００１７】
画像データは、ＴＩＦＦヘッダー（ＳＯＩ：Start of Imageマーカー）１００、アプリケーションユーザーマーカー（ユーザマーカー情報）１０１、ＪＰＥＧデータ１０２、ユーザデータリンク情報１０３、ＥＯＩ（End of Image）マーカー１０４、そして後術するユーザデータ（図４参照）から構成されている。
【００１８】
ＴＩＦＦヘッダー１００は、Exif形式で記憶された画像データの定義データである。アプリケーションユーザーマーカー１０１は、本発明で新設され用いられるもので、ＴＩＦＦヘッダー１００の次に配置される図示しない各種アプリケーションマーカー（ＡＰＰ１  Ｍａｋｅｒ、ＡＰＰ２  Ｍａｋｅｒ等）の一番最後のアプリケーションマーカーの次の領域に設定するユーザマーカー情報である（後術）。アプリケーションユーザーマーカー１０１は、ユーザデータ記憶編集用の領域を示すデータである。
【００１９】
ＪＰＥＧデータ１０２は、画像データの主データであり、イメージのストリームデータである。ユーザデータリンク情報１０３は、本発明で新設され用いられるもので、ユーザデータへのリンクを示すデータである。すなわち、ユーザデータは、ＪＰＥＧデータ１０２等とは別のファイルとして管理されており、ユーザデータリンク情報１０３に基づいてアクセス可能となっている。ＥＯＩマーカー１０４は、エンドマーカーであり、画像データの終わりを示すデータである。
【００２０】
ユーザデータは、例えば、図４に示すように、ディレクトリーで管理されている。親ディレクトリー「DCIM」のサブディレクトリーには、例えば、データの種類毎にディレクトリーが作成され管理されている。例えば、画像データに付加する音楽ファイルや音声ファイル等のオーディオデータであれば、「audio」というディレクトリー名の下に、各種音楽ファイルや音声ファイル等を配置する。また、例えば、画像データに付加するコメントデータであれば、「comments」というディレクトリー名の下に、コメントのテキストファイル等を配置する。また、例えば、画像データに付加するＵＲＬデータであれば、「ＵＲＬ」というディレクトリー名の下に、ＵＲＬリンク情報を配置する。
【００２１】
以上のように、ユーザデータは、別データとして配置されている記憶領域に、ユーザデータリンク情報１０３によってリンクが張られており、ユーザデータリンク情報１０３にアクセスすることにより、ユーザデータにアクセスすることができるようになっている。
【００２２】
次に、図５は、アプリケーションユーザーマーカー１０１の構成を示した模式図である。
【００２３】
ファイルサイズ、製造メーカーの独自の編集領域（"ABC"は、例えば、製造メーカー名等となる）、"ABC" Maker Note IFD等から構成される。
【００２４】
次に、図６は、ユーザデータリンク情報（Maker Note directory）１０３の構成を示した模式図である。
【００２５】
ユーザデータリンク情報のＩＦＤ（Image file directory）の構成を示す。１２バイトずつのデータ並びとしてデーター１個あたりのバイト数とデータの個数を掛けると、そのディレクトリーエントリーの総データ長が得られる。また、総データ長が４バイト以下ならばデータ値自体が、４バイトを超える場合はデータへのオフセット値が格納される。つまり４文字以下の文字列や、２個以下のShort Integer等は、即値が格納される。新たに新設したユーザ編集情報ＩＦＤの１２バイトずつのデータ並びとしてのデータ領域は、データ値自体が、４バイトを超えるので総データ長が４バイト以上となり、データへのオフセット値が格納される。
【００２６】
次に、図７は、リンク先のユーザデータ（"ABC" Maker Note IFD：マーカーノートのタグ）１０３の構成を示した模式図である。以下、各種タグについて説明する。
【００２７】
（１）タグ番号：０００１ Software Release Version
ユーザ編集情報を追加するために使用されるPC用プログラムのソフトウェアバージョンを記憶する。記憶フォーマットはASCII形式。PCにインストールされたユーザ編集情報プログラムは、このバージョン情報を元に該当の画像データがユーザ編集可能であるかを判定する。
【００２８】
（２）タグ番号：０００２ Character code
ユーザ編集により該当画像データに日本語によるユーザコメント入力可能とするために、ユーザが使用する文字コードを記憶する。文字コードは、Shift-JIS=０をDefaultとして、EUC=１のように数値により使用する文字コードを示す。
【００２９】
（３）タグ番号：００１０ Place Data
写真を撮影した場所についてコメント形式で記憶されている。例：奈良  東大寺  右側の五重塔
（４）タグ番号：００１１〜００１３ Place URL
撮影場所に関するURL情報を記憶。記憶するURLは、公に公開されているWebサイトのURLでもよいし、個人が運営するサーバの固有URLでもよい。特にURLについては公私Webサイトを規定する規定するものではない。URLは本特許で提案するプログラムにより解析され、ユーザ操作により設定されたURLに情報が表示される。
【００３０】
（５）タグ番号：００２０ User Comment（１）
ユーザが該当の画像データに対してコメント入力した情報が記憶される。文字コード設定により日本語入力が可能である。例：奈良・京都を旅行しました。この日はとても天気がよかったです。太郎も大きくなりました。
【００３１】
（６）タグ番号：００２１ Related Sound file（１）
コメントに関連するオーディファイルまたは音声ファイル。ユーザは後日、ユーザ編集情報プログラムを操作することにより、写真を見ながらそのときの情景などを説明する音声データなどをオーディファイルにして記憶することができる。
【００３２】
（７）タグ番号：００２２/００２３ Related URL（１-１）（１-２）
コメントに関連するURLの記憶。音楽配信サーバや個人で運営するサーバのURIまたはURLを記憶する。ネットワークに接続している場合には、サーバと接続して関連情報の表示や音楽・関連映像をユーザの操作により表示する。
【００３３】
（８）タグ番号：００２４ Related draw data
該当画像データ上に編集者が新たに追加したレタッチなどの情報を記憶。見ているユーザの指示に従って画像データにレタッチなど重ね合わせを行う。
【００３４】
（９）タグ番号：００３０ User Comment（２）
ユーザが該当の画像データに対してコメント入力した情報が記憶される。文字コード設定により日本語入力が可能である。例えば、「パパです。庭の松がとてもきれいに手入れされていました。見に行かれては如何ですか。宿についてはURLを参照してください。」等である。
【００３５】
（１０）タグ番号：００３１ Related Sound file（２）
コメントに関連するオーディファイルまたは音声ファイル。ユーザは後日、ユーザ編集情報プログラムを操作することにより、写真を見ながらそのときの情景などを説明する音声データなどをオーディファイルにして記憶することができる。
【００３６】
（１１）タグ番号：００３２/００３３ Related URL（２-１）（２-２）
コメントに関連するURLの記憶。音楽配信サーバや個人で運営するサーバのURIまたはURLを記憶する。ネットワークに接続している場合には、サーバと接続して関連情報の表示や音楽・関連映像をユーザの操作により表示する。
【００３７】
（１２）タグ番号：００３４ Related draw data
該当画像データ上に編集者が新たに追加したレタッチなどの情報を記憶。見ているユーザの指示に従って画像データにレタッチなど重ね合わせを行う。
【００３８】
（１３）タグ番号：００４０ User Comment（３）
ユーザが該当の画像データに対してコメント入力した情報が記憶される。文字コード設定により日本語入力が可能である。例えば、「おじちゃんです。写真を見た感想を入れておきました。みんなで聞いてください。」等である。
【００３９】
（１４）タグ番号：００４１ Related Sound file（３）
コメントに関連するオーディファイルまたは音声ファイル。ユーザは後日、ユーザ編集情報プログラムを操作することにより、写真を見ながらそのときの情景などを説明する音声データなどをオーディファイルにして記憶することができる。
【００４０】
（１５）タグ番号：００４２/００４３ Related URL（３-１）（３-２）
コメントに関連するURLの記憶。音楽配信サーバや個人で運営するサーバのURIまたはURLを記憶する。ネットワークに接続している場合には、サーバと接続して関連情報の表示や音楽・関連映像をユーザの操作により表示する。
【００４１】
（１６）タグ番号：００４４ Related draw data
該当画像データ上に編集者が新たに追加したレタッチなどの情報を記憶。見ているユーザの指示に従って画像データにレタッチなど重ね合わせを行う。
【００４２】
（１７）タグ番号：００５０〜００５２：Related Phone LINK（１）（２）（３）
同一メディア内で関連する写真へのPathを記憶。ユーザにより機能選択された場合、プログラムは記憶されたPathをたどり、該当の画像データを検索して表示する。
【００４３】
次に、本発明の情報処理装置を適用した編集方法およびプログラムについて図８のフローチャートを参照して説明する。
【００４４】
＜ユーザデータの作成（書き込み）＞
ＣＰＵ１１は、ＨＤＤ２０から主メモリ１３に画像編集ソフトウェアをロードすると、例えば、ソフトウェアのＧＵＩ（Graphical User Interface）の指示に従って、ユーザデータを追加する画像データ（デジタル写真）を選択する。なお、画像データは、予めコンピュータ１０のＨＤＤ２０に記憶されているExif形式の画像データとする。
【００４５】
ＣＰＵ１１は、画像データが選択されると（ステップＳ１０１）、画像編集ソフトウェアが、選択された画像データのExifデータを読み込む。画像編集ソフトウェアは、読み込んだExif情報を解析し、ExitマーカをＡＰＰ１から検索し（ステップＳ１０２）、順次、次のＡＰＰであるＡＰＰｘを検索し（ステップＳ１０３）、Exifマーカ検索に従い、各マーカ内の内容を解析する。
【００４６】
次に、ＣＰＵ１１は、Exifマーカを解析した結果に基づいて、アプリケーションユーザマーカーである「"ABC" User APP」マーカの書き込みを行うために書き込み判定処理を行う（ステップＳ１０４）。ＣＰＵ１１は、判定処理の結果、既存Exifデータ内部情報（Offsetアドレスなど）を変更する必要がないと判定された場合には、「"ABC" User APP」マーカ情報の領域を確保し、「"ABC" User APP」マーカ情報を追加して書き込みを行う（ステップＳ１０６）。一方、ＣＰＵ１１は、判定処理の結果、既存Exifデータ内部情報（Offsetアドレスなど）を変更する必要があると判定された場合には、既存のExifデータの内部情報を解析・変更したのち、「"ABC" User APP」マーカ情報の領域を確保し、「"ABC" User APP」マーカ情報を追加して書き込みを行う（ステップＳ１０５）。
【００４７】
ＣＰＵ１１により、画像編集ソフトウェアは、ＧＵＩの指示に従ってユーザにより選択された機能を図７に示したタグの分類に従って書き込み待ち状態とし（ステップＳ１０７）、その後にユーザデータ（ユーザ編集情報）の書き込みを行う（ステップＳ１０８）。ＣＰＵ１１により、次のデジタル写真（画像データ）が無いと判別されると終了し（ステップＳ１０９の無）、有ると判別された場合は、ステップＳ１０１遷移する。
【００４８】
なお、ユーザデータは、例えば、画像データとリンクして関連づけられたハートや星印等の図形情報、コメント等のテキスト情報、ＢＧＭやボイスメッセージ等のオーディオ情報、ＵＲＬ等リンク先情報等である（後術する図１０〜図１３参照）。
【００４９】
次に、本発明の情報処理装置を適用した再生方法およびプログラムについて図９のフローチャートを参照して説明する。
【００５０】
＜ユーザデータの再生（読み出し）＞
ＣＰＵ１１は、ＨＤＤ２０から主メモリ１３に画像編集ソフトウェアをロードすると、例えば、ソフトウェアのＧＵＩ（Graphical User Interface）の指示に従って、画像データ（デジタル写真）を選択する。なお、画像データは、予めコンピュータ１０のＨＤＤ２０に記憶されているExif形式の画像データとする。
【００５１】
画像データが選択されると、画像編集ソフトウェアが、選択されたデジタル写真のExifデータを読み込む（ステップＳ２０１）。画像編集ソフトウェアは、読み込んだExif情報を解析し、Exitマーカを検索する。Exifマーカ検索に従い、各マーカ内の内容を解析する（ステップＳ２０２）。
【００５２】
画像編集ソフトウェアは、Exitヘッダー情報から、ASCII文字で、製造メーカー名である「"ABC"」を検索する（ステップＳ２０３）。検索したExifヘッダーに["ABC"」文字列を発見した場合、ユーザデータ（ユーザ編集情報）が画像データに付加して記憶されていることを示す。
【００５３】
画像編集ソフトウェアは、ユーザデータが記憶されていると判別する（ステップＳ２０４）。ユーザデータが記憶されていると判別した場合には、ユーザデータを読出し（ステップＳ２０６）、例えば、画像編集ソフトウェア上にに通知する。画像編集ソフトウェアのＧＵＩの指示に従い操作することにより、ユーザデータを記憶したユーザの編集情報を使用することができる。次に、ユーザによるコマンドの入力待ち状態となり（ステップＳ２０７）、ユーザにより、次のデジタル写真（画像データ）が選択された場合（ステップＳ２０８）は、ステップＳ２０１に遷移する。また、ユーザにより、画像編集ソフトウェアのプログラムの終了処理が行われた場合（ステップＳ２０９）は、終了する。また、ユーザにより、タグ情報の処理が選択された場合（ステップＳ２１０）には、例えば、図１０に示すようなタグ情報である場合には、図１１に示すように、孫が書き込んだコメントを見たいときには、「コメント」をマウス等で選択し、「孫１」を選択すると、書き込まれたコメントである、「元気ですか？」というコメントが表示される。さらに、図１２に示すように、「コメント」をマウス等で選択し、「孫２」を選択すると、書き込まれた図形情報である、「星印とハート印」が表示される。また、図１３に示すように、「ＵＲＬ」をマウス等で選択すると、書き込まれたリンク情報である、ＵＲＬ「http://www.ABC.co.jp」が表示される。その他にも、ＢＧＭを選択すると、書き込まれたＢＧＭが再生される等の処理を行うことができる。
【００５４】
一方、ユーザデータが記憶されていないと判別された場合には、ユーザデータが記憶されていないことを通知する（ステップＳ２０５）。
【００５５】
このように、例えば、以下のような利用シーンにて、本実施形態を利用することができる。
【００５６】
例えば、ユーザは旅行や子供の運動会などの行事があったときにデジタルカメラによる撮影を行い、撮影されたデジタル写真は、ＰＣのＨＤＤやＣＤ−ＲＯＭなどのメディアに記憶・保管される。記憶されたデジタル写真（画像データ）を画像編集ソフトウェアを起動して編集する。デジタル写真毎に、編集ユーザが写真に関連する事項やコメント・音声データ・オーディオデータ等を追加する。追加されたユーザデータは、画像編集ソフトウェアによりデジタル写真の追加情報として記憶保存される。ユーザデータを含んだデジタル写真をＣＤ−ＲＯＭなどのメディアにコピーすることにより、遠方にいる祖父母などに送付する。ユーザデータを含んだデジタル写真を受け取ったユーザは、画像編集ソフトウェアを使用することでユーザデータとして記憶されている情報を読み出して再生することができる。画像編集ソフトウェアを使用するユーザは、写真の解説を音声で聞くことができたり、関連するＢＧＭで臨場感を共有することできる。ネットワークに接続されているＰＣであれば、関連ＵＲＬ情報により撮影された場所や周辺の情報等を得ることができる。
【００５７】
以上、本実施形態を用いることにより、デジタル写真にユーザ独自の情報を添付することができる。このことにより、従来デジタル写真にはないユーザ固有の情報を添付することができる。この情報によりユーザは、撮影されたデジタル写真に映像以外の情報を付加することができる。また、従来方式のデジタル写真閲覧プログラムでも従来通りにデジタル写真を閲覧することができ、ユーザはさらに多くのユーザ固有情報をデジタル写真に記録することができる。また、デジタル写真の映像を見るという楽しみ以外に聞く・伝言を伝える・説明を追加するといった新たな機能を利用することができる。さらに、ＪＰＥＧ等のイメージデータと、ユーザデータとを分けて管理しているので、元のイメージデータを変更することなく、ユーザデータとイメージデータとを重ね合わせて表示することができる。
【００５８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５９】
【図１】本発明の一実施形態に係る情報処理装置を示した斜視図。
【図２】本発明の一実施形態に係る情報処理装置のシステム構成を示すブロック図。
【図３】同実施形態の情報処理装置の画像編集ソフトウェアで扱う画像データの構成を示した模式図。
【図４】ユーザデータの構成を示した模式図。
【図５】アプリケーションユーザーマーカーの構成を示した模式図。
【図６】ユーザデータリンク情報の構成を示した模式図。
【図７】リンク先のユーザデータの構成を示した模式図。
【図８】本発明の情報処理装置を適用した編集方法およびプログラムについて説明したフローチャート。
【図９】本発明の情報処理装置を適用した再生方法およびプログラムについて説明したフローチャート。
【図１０】所定のタグ情報を表示した場合を示した模式図。
【図１１】所定のタグ情報を表示した場合を示した模式図。
【図１２】所定のタグ情報を表示した場合を示した模式図。
【図１３】所定のタグ情報を表示した場合を示した模式図。
【符号の説明】
【００６０】
１１…ＣＰＵ、１７…グラフィクスコントローラ、１６…サウスブリッジ、２０…ハードディスク、２２…ＥＣ／ＫＢＣ
【図１】
2008140028.tif 000003
【図２】
2008140028.tif 000004
【図３】
2008140028.tif 000005
【図４】
2008140028.tif 000006
【図５】
2008140028.tif 000007
【図６】
2008140028.tif 000008
【図７】
2008140028.tif 000009
【図８】
2008140028.tif 000010
【図９】
2008140028.tif 000011
【図１０】
2008140028.tif 000012
【図１１】
2008140028.tif 000013
【図１２】
2008140028.tif 000014
【図１３】
2008140028.tif 000015